(57)【特許請求の範囲】
【請求項１】
ドア（１）に設置される電気錠（２）およびリーダライタ（７）と、リーダライタ（７）に対応する非接触型のＩＣカード（１３）を備えており、
前記リーダライタ（７）は、非接触方式の近接通信部（１４）と、無線方式の近距離通信部（１５）と、両通信部（１４・１５）を制御するリーダライタ制御部（１６）と、近接通信部（１４）および近距離通信部（１５）とリーダライタ制御部（１６）に駆動電流を供給する電源部（１７）を備えており、
前記ＩＣカード（１３）は、前記リーダライタ（７）の近接通信部（１４）と通信する第１通信部（２１）と、セキュア部（３８）を有し、前記リーダライタ（７）の近距離通信部（１５）と通信する第２通信部（２２）と、少なくとも第２通信部（２２）に駆動電流を供給する電源部（２４）と、電源制御部（２５）と、前記両通信部（２１・２２）および電源制御部（２５）を制御するカード制御部（２６）を備えており、
ＩＣカード（１３）の電気錠（２）に対する新規登録時には、電気錠（２）を登録モードにした状態でＩＣカード（１３）をリーダライタ（７）にかざして、第１通信部（２１）と近接通信部（１４）の非接触方式の通信を確立し、
非接触方式の通信を確立した状態でＩＣカード（１３）とリーダライタ（７）の間の相互認証を実行し、認証結果が適正であることにもとづきＩＣカード（１３）のカード情報の電気錠（２）に対する登録と、電気錠（２）の錠情報のＩＣカード（１３）に対する登録を行う前段設定と、
前段設定を実行した後に、認証結果が適正であることを必須として、第２通信部（２２）と近距離通信部（１５）の無線通信設定情報をＩＣカード（１３）に登録する次段設定を行っており、
ＩＣカード（１３）の新規登録が終了した後は、第２通信部（２２）と近距離通信部（１５）の相互通信により、電気錠（２）を解錠することを特徴とするスタンドアローン型の入室管理システム。
【請求項２】
ＩＣカード（１３）の電源部（２４）は電池（２３）と、電池（２３）の電力供給路を開閉する電源スイッチ（４１）を備えていて、新規登録前のＩＣカード（１３）の電源スイッチ（４１）はオフ状態に保持されており、
前段設定を実行して認証結果が適正であることを必須として、電源制御部（２５）で電源スイッチ（４１）をオン状態に切換えて、カード制御部（２６）および第２通信部（２２）を起動する請求項１に記載のスタンドアローン型の入室管理システム。
【請求項３】
リーダライタ（７）に、一般的な通信規格に含まれていない登録専用コマンドが格納されており、
前段設定時に登録専用コマンドを実行して、無線通信設定情報を第１通信部（２１）と近接通信部（１４）の通信を介してＩＣカード（１３）に登録する請求項１または２に記載のスタンドアローン型の入室管理システム。
【請求項４】
リーダライタ（７）に、一般的な通信規格に含まれていないスイッチ起動コマンドが格納されており、
次段登録時に、スイッチ起動コマンドを実行して、電源スイッチ（４１）をオン状態に切換え、カード制御部（２６）および第２通信部（２２）を起動する請求項２または３に記載のスタンドアローン型の入室管理システム。
【請求項５】
ＩＣカード（１３）の電源部（２４）に、２次電池（２３）と同電池用の充電回路（４０）が設けられて、充電回路（４０）から導出した充電端子（４３）がＩＣカード（１３）の表面に露出されており、
電気錠（２）ないしリーダライタ（７）の側に、電気錠（２）の作動状態およびＩＣカード（１３）の２次電池（２３）の状態を表示する表示体（９）が設けてあり、
前記表示体（９）に、２次電池（２３）の充電が必要である旨の充電表示が表示された状態において、充電器（４４）で調整した充電電流を、充電端子（４３）を介して２次電池（２３）に供給して充電を行う請求項２から４のいずれかひとつに記載のスタンドアローン型の入室管理システム。
【請求項６】
ＩＣカード（１３）の電源部（２４）に、２次電池（２３）と同電池用の充電回路（４０）が設けられており、
ＩＣカード（１３）に、前記充電回路（４０）に充電電流を供給するワイヤレス受電部（５１）が設けられており、
電気錠（２）ないしリーダライタ（７）の側に、電気錠（２）の作動状態およびＩＣカード（１３）の２次電池（２３）の状態を表示する表示体（９）が設けてあり、
前記表示体（９）に、２次電池（２３）の充電が必要である旨の充電表示が表示された状態において、充電器（４４）とワイヤレス受電部（５１）の間の電磁誘導作用でワイヤレス受電部（５１）に伝送した電力を、ワイヤレス受電部（５１）で整流し充電回路（４０）を介して２次電池（２３）に供給してワイヤレス充電を行う請求項２から４のいずれかひとつに記載のスタンドアローン型の入室管理システム。
【請求項７】
ＩＣカード（１３）の第１通信部（２１）に、第１通信部（２１）と近接通信部（１４）が通信を確立していることを検知して、カード制御部（２６）に検知信号を出力する検波部（５８）が設けられており、
第１通信部（２１）と近接通信部（１４）が通信確立していない状態においては、カード制御部（２６）に微弱電流を供給して、カード制御部（２６）がスリープ状態に保持されており、
検波部（５８）が、第１通信部（２１）と近接通信部（１４）の通信確立を検知した状態においては、検波部（５８）からカード制御部（２６）に送られた検知信号でＣＰＵ（４６）をスリープモードから通常モードに戻し、第２通信部（２２）と近距離通信部（１５）の通信を可能とする請求項１または３または４または５または６に記載のスタンドアローン型の入室管理システム。
【請求項８】
ＩＣカード（１３）の第１通信部（２１）に、カード情報を記録する不揮発性メモリ（３２）と、セキュア部（３４）と、ＩＤ格納部（３５）が設けられており、
ＩＣカード（１３）の電池（２３）の出力電圧が、基準電圧より低下している状態において、第１通信部（２１）と近接通信部（１４）の通信を確立して、不揮発性メモリ（３２）、セキュア部（３４）、ＩＤ格納部（３５）に格納されたカードデータ、および新規登録時に登録した錠のデータをリーダライタ（７）で読取って、電気錠（２）を解錠できる請求項７に記載のスタンドアローン型の入室管理システム。
【請求項９】
第１通信部（２１）と近接通信部（１４）の間の通信を、ＵＨＦ帯のＲＦＩＤ（ＩＳＯ／ＩＥＣ１８０００）と、ＨＦ帯のＩＳＯ／ＩＥＣ１４４４３と、ＩＳＯ／ＩＥＣ１５６９３と、ＮＦＣのいずれかひとつの規格に適合した通信規格で行う請求項７または８に記載のスタンドアローン型の入室管理システム。
【請求項１０】
第２通信部（２２）と近距離通信部（１５）の間の通信を、通信規格（ＢＴ（登録商標）、ＢＬＥ、ＷｉＦｉ（登録商標）、Ｗｉ‐ＳＵＮ、Ｚｉｇｂｅｅ（登録商標））のいずれかひとつの規格に適合した通信規格で行う請求項７から９のいずれかひとつに記載のスタンドアローン型の入室管理システム。
【発明の詳細な説明】
【技術分野】
【０００１】
本発明は、非接触型のＩＣカードとリーダライタと電気錠を備えているスタンドアローン型の入室管理システムに関する。入室管理システムは、集合住宅、オフィスビル、ホテル、病院、工場などに適用される。
【背景技術】
【０００２】
本発明に係る入室管理システムでは、非接触型のＩＣカードで電気錠の解錠を行うが、この種のシステムの基本構成は例えば特許文献１に見ることができる。そこでは、ユーザーが携行する近接通信用の非接触ＩＣカードと、例えば玄関ドアに設けられるリーダライタおよび電気錠と、電気錠の施錠および解錠状態を表示する表示回路と、カード携行者の接近を検知する検出部と、錠設定部などで電気錠システムを構成している。この電気錠システムによれば、カード携行者の接近を検出部が検知したとき、検知信号を錠設定部に通知し、電気錠が解錠と施錠のどちらの状態であるかを表示手段でカード携行者に表示する。従って、帰宅したカード携行者は、電気錠が施錠状態である場合に限って、ＩＣカードをリーダライタにかざして電気錠を解錠すればよい。また、カード携行者がリーダライタから離れると、そのことを検出部が検知するが、検知結果は錠設定部に通知されないので、電気錠の状態が解錠と施錠のどちらであるかは表示されず、第三者に対するセキュリティを保つことができる。
【０００３】
本発明に係るＩＣカードは、例えば電磁誘導方式の非接触通信（近接通信）を行うことに加えて、無線通信方式によって近距離通信を行うが、この種のＩＣカードは特許文献２に見ることができる。このＩＣカードは、例えば交通系のゲート・アクセス管理に応用されて、ＩＣカード乗車券として使用することができ、非接触ＩＣカード識別装置（改札装置）との間で通信を行う。さらに、ＩＣカードには、電磁誘導方式の非接触通信を行う第１の近接通信機能とは別に、無線基地局を介してＩＣカード管理サーバーとの間で通信を行うための無線データ通信を行う第２の近距離通信機能が設けてある。第２の近距離通信機能は、ＩＣチップ化された無線通信回路と、無線通信用アンテナ、およびこれらに駆動電流を供給する２次電池と電源回路などで構成されて、第１の近接通信機能を構成する回路とともにＩＣカードに搭載してある。このように、第２の近距離通信機能を備えたＩＣカードによれば、第２の近距離通信機能の通信距離が数ｋｍと大きいので、非接触ＩＣカード用識別装置の設置場所まで出向く必要もなく、例えばクレジットデータや残高データなどを確認することができる。また、第１の近接通信機能を利用して２次電池を充電することができる。
【先行技術文献】
【特許文献】
【０００４】
【特許文献１】特開２０１２−２３７１１７号公報（段落番号００２４〜００３０、図１）
【特許文献２】特開２００９−１４０２２０号公報（段落番号００２４、図１）
【発明の概要】
【発明が解決しようとする課題】
【０００５】
特許文献１の電気錠システムは、非接触ＩＣカードとリーダライタの間の非接触の近接通信のみで、カードＩＤや個人情報などのカード情報の相互認証を行うため、高度のセキュリティ機能を発揮するのが難しい。例えば、スキマーで非接触ＩＣカードのカードデータを読取って、非接触ＩＣカードを偽造し電気錠を解錠することは不可能ではない。
【０００６】
交通系のゲート・アクセス管理に使用される特許文献２のＩＣカードを入室管理システムに応用することは可能である。しかし、第２の通信機能で通信を行うには、無線基地局やＩＣカード管理サーバーなどの、大掛かりな通信設備や管理設備が不可欠であるため、システムコストが嵩むのを避けられない。また、本発明に係る入室管理システムにおいては、同システムの使用開始時にＩＣカードの新規登録を行うが、通信距離が大きな特許文献２のＩＣカードを用いた場合に誤登録を生じるおそれがある。例えば、集合住宅においては、各戸の玄関ドアが数ｍしか離れていないことが多く、そのため、第２の通信機能を利用してＩＣカードを新規に登録するような場合に、カード登録が行われていない複数の玄関ドアにおいて、誤登録を生じるおそれがある。無線基地局を仲介せずに、端末機器同士で通信が可能なスマートフォンを利用して、ＩＣカードの新規登録を行う場合でも、その通信距離が１０ｍと大きいため、誤登録を生じるおそれがある。管理対象となる全ての電気錠をネットワークシステムで管理すると、誤登録の修正は容易であるが、そうするとネットワークシステムの分だけ全体システムのコストが嵩んでしまう。
【０００７】
また、第２の通信機能を備えた特許文献２のＩＣカードにおいては、第２の通信機能の電源として２次電池を使用するが、こうした電池内蔵のＩＣカードにおいては、ＩＣカードを出荷した後の電池寿命の保証を行うことが難しい。工場から出荷されたＩＣカードが、直ちにユーザーの手許に渡るのであれば、電池寿命を問題なく保証できる。しかし、出荷後のＩＣカードの店頭における在庫期間が長引けば長引くほど、自己放電に伴う電池寿命の低下を避けることができず、先の保証を行うことが難しくなる。ユーザーが入室管理システムの使用を開始する直前に、新規な２次電池をＩＣカードに装填すると、電池の寿命を保証できる。あるいは、２次電池と給電端子の間に絶縁テープを配置しておいて、入室管理システムの使用を開始する直前に絶縁テープを除去すると、同様に電池の寿命を保証できる。しかし、いずれの場合も、２次電池の収容部分を密閉することができないため、現行の厚みが小さなＩＣカードにおいて、２次電池を備えたＩＣカードを完全防水化することは困難である。ＩＣカードで電気錠の解錠を行う入室管理システムにおいては、ＩＣカードの基本仕様として完全な防水機能を備えていることが望まれており、先のような電池収容構造を採用することはできない。
【０００８】
本発明の目的は、無線基地局などの大掛かりな通信支援設備を必要とせず、正規のユーザーのみが対応する電気錠の解錠をハンズフリーで行うことができ、また、ＩＣカードをユーザー自身で新規に登録する場合に誤登録を生じる余地がなく、さらに、高度のセキュリティ機能を発揮できるスタンドアローン型の入室管理システムを提供することにある。
本発明の目的は、ＩＣカードの完全防水化を実現しながら２次電池の充電を可能として、電池の寿命保証を行う必要がなく、従って、出荷後の２次電池の管理の手間を省くことができるスタンドアローン型の入室管理システムを提供することにある。
【課題を解決するための手段】
【０００９】
本発明に係るスタンドアローン型の入室管理システムは、ドア１に設置される電気錠２およびリーダライタ７と、リーダライタ７に対応する非接触型のＩＣカード１３を備えている。リーダライタ７は、非接触方式の近接通信部１４と、無線方式の近距離通信部１５と、両通信部１４・１５を制御するリーダライタ制御部１６と、近接通信部１４および近距離通信部１５とリーダライタ制御部１６に駆動電流を供給する電源部１７を備えている。ＩＣカード１３は、前記リーダライタ７の近接通信部１４と通信する第１通信部２１と、リーダライタ７の近距離通信部１５と通信する第２通信部２２と、少なくとも第２通信部２２に駆動電流を供給する電源部２４と、電源制御部２５と、両通信部２１・２２および電源制御部２５を制御するカード制御部２６を備えている。ＩＣカード１３の電気錠２に対する新規登録時には、電気錠２を登録モードにした状態でＩＣカード１３をリーダライタ７にかざして、第１通信部２１と近接通信部１４の非接触方式の通信を確立する。また、非接触方式の通信を確立した状態でＩＣカード１３とリーダライタ７の間の相互認証を実行し、認証結果が適正であることにもとづきＩＣカード１３のカード情報の電気錠２に対する登録と、電気錠２の錠情報のＩＣカード１３に対する登録を行う前段設定を実行する。さらに、前段設定を実行した後に、認証結果が適正であることを必須として、第２通信部２２と近距離通信部１５の無線通信設定情報をＩＣカード１３に登録する次段設定を実行する。ＩＣカード１３の新規登録が終了した後は、第２通信部２２と近距離通信部１５の相互通信により、電気錠２を解錠することを特徴とする。
【００１０】
ＩＣカード１３の電源部２４は電池２３と、電池２３の電力供給路を開閉する電源スイッチ４１を備えていて、新規登録前のＩＣカード１３の電源スイッチ４１はオフ状態に保持されている。前段設定を実行して認証結果が適正であることを必須として、電源制御部２５で電源スイッチ４１をオン状態に切換えて、カード制御部２６および第２通信部２２を起動する。
【００１１】
リーダライタ７に、一般的な通信規格に含まれていない登録専用コマンドを格納する。前段設定時に登録専用コマンドを実行して、無線通信設定情報を第１通信部２１と近接通信部１４の通信を介してＩＣカード１３に登録する。
【００１２】
リーダライタ７に、一般的な通信規格に含まれていないスイッチ起動コマンドを格納する。次段登録時に、スイッチ起動コマンドを実行して、電源スイッチ４１をオン状態に切換え、カード制御部２６および第２通信部２２を起動する。
【００１３】
ＩＣカード１３の電源部２４に、２次電池２３と同電池用の充電回路４０が設けられて、充電回路４０から導出した充電端子４３がＩＣカード１３の表面に露出してある。電気錠２ないしリーダライタ７の側に、電気錠２の作動状態およびＩＣカード１３の２次電池２３の状態を表示する表示体９を設ける。記表示体９に、２次電池２３の充電が必要である旨の充電表示が表示された状態において、充電器４４で調整した充電電流を、充電端子４３を介して２次電池２３に供給して充電を行う。
【００１４】
ＩＣカード１３の電源部２４に、２次電池２３と同電池用の充電回路４０を設ける。ＩＣカード１３に、充電回路４０に充電電流を供給するワイヤレス受電部５１を設ける。電気錠２ないしリーダライタ７の側に、電気錠２の作動状態およびＩＣカード１３の２次電池２３の状態を表示する表示体９を設ける。表示体９に、２次電池２３の充電が必要である旨の充電表示が表示された状態において、充電器４４とワイヤレス受電部５１の間の電磁誘導作用でワイヤレス受電部５１に伝送した電力を、ワイヤレス受電部５１で整流し充電回路４０を介して２次電池２３に供給してワイヤレス充電を行う。
【００１５】
ＩＣカード１３の第１通信部２１に、第１通信部２１と近接通信部１４が通信を確立していることを検知して、カード制御部２６に検知信号を出力する検波部５８を設ける。第１通信部２１と近接通信部１４が通信確立していない状態においては、カード制御部２６に微弱電流を供給して、カード制御部２６をスリープ状態に保持する。検波部５８が、第１通信部２１と近接通信部１４の通信確立を検知した状態においては、検波部５８からカード制御部２６に送られた検知信号でＣＰＵ４６をスリープモードから通常モードに戻し、第２通信部２２と近距離通信部１５の通信を可能とする。
【００１６】
ＩＣカード１３の第１通信部２１に、カード情報を記録する不揮発性メモリ３２と、セキュア部３４と、ＩＤ格納部３５を設ける。ＩＣカード１３の電池２３の出力電圧が、基準電圧より低下している状態において、第１通信部２１と近接通信部１４の通信を確立して、不揮発性メモリ３２、セキュア部３４、ＩＤ格納部３５に格納されたカードデータ、および新規登録時に登録した錠のデータをリーダライタ７で読取って、電気錠２を解錠できる。
【００１７】
第１通信部２１と近接通信部１４の間の通信を、ＵＨＦ帯のＲＦＩＤ（ＩＳＯ／ＩＥＣ１８０００）と、ＨＦ帯のＩＳＯ／ＩＥＣ１４４４３と、ＩＳＯ／ＩＥＣ１５６９３と、ＮＦＣのいずれかひとつの規格に適合した通信規格で行う。
【００１８】
第２通信部２２と近距離通信部１５の間の通信を、通信規格（ＢＴ（登録商標）、ＢＬＥ、ＷｉＦｉ（登録商標）、Ｗｉ‐ＳＵＮ、Ｚｉｇｂｅｅ（登録商標））のいずれかひとつの規格に適合した通信規格で行う。
【発明の効果】
【００１９】
本発明に係る入室管理システムは、ドア１に設置される電気錠２およびリーダライタ７と、リーダライタ７に対応する非接触型のＩＣカード１３を備えている。リーダライタ７とＩＣカード１３には、非接触方式の近接通信部１４および第１通信部２１と、無線方式の近距離通信部１５および第２通信部２２と、電源部１７・２４と、リーダライタ制御部１６およびカード制御部２６などを設けて、非接触方式と無線方式によって相互に通信を行えるようにした。また、ＩＣカード１３の電気錠２に対する新規登録時には、第１通信部２１と近接通信部１４とで非接触方式の通信を確立してＩＣカード１３とリーダライタ７の間の相互認証を実行し、ＩＣカード１３のカード情報と電気錠２の錠情報を相互に登録するようにした。
【００２０】
上記のように、非接触方式の通信を介してカード情報と錠情報を相互に登録すると、リーダライタ７とＩＣカード１３の通信距離が例えば１０ｃｍと小さいので、登録しようとしているＩＣカード１３と近隣のリーダライタの間で通信が確立されるのを一掃して、ＩＣカード１３が誤登録されるのを解消できる。また、カード情報と錠情報を相互に登録する前段設定を行ったのち、第２通信部２２と近距離通信部１５の無線通信設定情報をＩＣカード１３に登録する次段設定を実行して、通信距離が大きな無線方式によって電気錠２を解錠できるようにした。従って、ユーザーはＩＣカード１３をバッグや財布の内部などに収納したままでよく、あるいは被服のポケットに収納したままでよく、ハンズフリーで電気錠２を解錠できる。
【００２１】
電気錠２をＩＣカード１３で解錠するとき、第２通信部２２から放射される通信波が、対応関係にないリーダライタの近距離通信部１５に捕捉されるおそれがある。しかし、電気錠２とＩＣカード１３は前段設定時にカードの固有情報と錠の固有情報を相互に登録しているので、第２通信部２２が対応関係にない近距離通信部１５と通信を確立することはなく、第２通信部２２は常に対応する近距離通信部１５とのみ通信を確立して、対応関係にある電気錠２のみを解錠でき、近隣に迷惑をかけるのを防止できる。さらに、本発明においては、非接触方式の近接通信と無線方式による近距離通信を通信手段にして、入室管理システムをスタンドアローン型のシステムとして構成するので、無線基地局などの大掛かりな通信支援設備を必要とする特許文献２のカードシステムに比べて、入室管理システムの導入コストを大幅に削減できる。
【００２２】
新規登録前のＩＣカード１３の電源スイッチ４１をオフ状態に保持しておき、前段設定により相互認証を行ったのち、電源制御部２５で電源スイッチ４１をオン状態に切換えるようにすると、在庫状態における電池２３の消耗を防止できる。従って、工場出荷後の電池２３の寿命保証を行う必要がなく、とくに、電池が２次電池２３である場合に出荷後の管理の手間を省くことができる。
【００２３】
リーダライタ７に一般的な通信規格に含まれていない登録専用コマンドを格納しておき、前段設定時に登録専用コマンドを実行して、無線通信設定情報をＩＣカード１３に登録するようにした。登録専用コマンドは、特定のシステムでしか使用できないフォーマットやコードで構成されており、リーダライタ７と正規のＩＣカード１３の間でのみ実行可能なコマンドである。このように、一般的な通信規格に含まれていない入室管理システム専用の登録専用コマンドに従って前段設定を行うようにすると、仮にＩＣカード１３がスキミングされてＩＣカードが偽造されたとしても、一般的な通信規格のコード等で登録専用コマンドを解析することは極めて困難であり、偽造カードを使用して電気錠２を解錠することはできない。また、登録専用コマンドは、リーダライタ７の特定領域に格納されているが、読出しコマンドが省略してあるので外部から読取ることはできず、高度のセキュリティ機能を発揮できる入室管理システムとすることができる。
【００２４】
リーダライタ７に一般的な通信規格に含まれていないスイッチ起動コマンドを格納しておき、次段登録時にスイッチ起動コマンドを実行して、電源スイッチ４１をオン状態に切換えるようにした。スイッチ起動コマンドは、先の登録専用コマンドと同様に、リーダライタ７と正規のＩＣカード１３の間でのみ実行可能なコマンドである。従って、保管されている状態のＩＣカード１３が、一般的な通信規格による通信電波に反応して電源スイッチ４１がオン状態に切換わるのを確実に防止して、電池２３が消耗するのを防止できる。
【００２５】
２次電池２３と充電回路４０を電源部２４に設け、充電回路４０から導出した充電端子４３をカード表面に露出させるようにしたＩＣカード１３によれば、ＩＣカード１３を充電器４４に設けたカード装填位置に装填するだけで２次電池２３を手軽に充電できる。従って、ＩＣカード１３の保管期間が長引くような場合でも、ＩＣカード１３の新規登録を行う前に２次電池２３を充電する必要があることを取扱説明書等に明記しておくことにより、新規登録時の２次電池２３の電圧状態を適正に保持できる。また、２次電池２３の充電時には、充電器４４で調整した充電電流を充電端子４３と充電回路４０を介して２次電池２３に供給するので、ＩＣカード１３に組込むべき充電のための回路構造を簡素化して、ＩＣカード１３の製造コストを削減できる。
【００２６】
ＩＣカード１３にワイヤレス受電部５１を設け、電源部２４に２次電池２３と充電回路４０を設けるようにしたＩＣカード１３によれば、充電器４４からＩＣカード１３に充電電流をワイヤレス状態で供給して２次電池２３を充電できる。詳しくは、充電器４４とワイヤレス受電部５１の間の電磁誘導作用でワイヤレス受電部５１に電力を伝送し、伝送された電流をワイヤレス受電部５１で整流し、充電回路４０を介して２次電池２３に供給することによりワイヤレス充電を行うことができる。このように、２次電池２３の充電をワイヤレス充電方式で行うようにすると、充電端子４３を省いてＩＣカード１３を完全防水化できるので、誤って取落としたＩＣカード１３が水没するような場合であっても、ＩＣカード１３の機能が損なわれるのを防いで、ＩＣカード１３の耐久性を向上し高機能化できる。
【００２７】
カード制御部２６に検波部５８を設け、１通信部２１と近接通信部１４が通信確立していない状態において、カード制御部２６に微弱電流を供給して同制御部２６をスリープ状態に保持するようにしたＩＣカード１３によれば、２次電池２３の消耗を著しく低下して電池寿命を大幅に伸ばすことができる。詳しくは、ＩＣカード１３は電気錠２を解錠するときにのみ、カード制御部２６および第２通信部２２を起動させてリーダライタ７と通信を確立できればよく、電気錠２を解錠するとき以外の１日の殆どの時間をスリープ状態にすることにより、２次電池２３の電力消費を大幅に抑止できるからである。
【００２８】
ＩＣカード１３の電池２３の出力電圧が、基準電圧より低下した状態では、第２通信部２２とリーダライタ７の近距離通信部１５の通信を確立できないため、ＩＣカード１３で電気錠２を解錠することができなくなる。そのため、ユーザーは正規のＩＣカード１３を所持しているにもかかわらず、電気錠２を解錠できない不便を強いられることになる。こうした使用上の不便を解消し、ユーザーの利便性を向上するために、第１通信部２１と近接通信部１４の通信を確立することで電気錠２を解錠できるようにしている。第１通信部２１の不揮発性メモリ３２、セキュア部３４、ＩＤ格納部３５には、カードデータおよび新規登録時に登録した錠のデータが格納してある。従って、ＩＣカード１３をリーダライタ７にかざして近接通信を確立し、先のデータをリーダライタ７で読取ることにより、ＩＣカード１３が真正なカードであることを確認し認証することができ、カードを認証した時点で電気錠２を解錠してユーザーの利便性を向上できる。
【００２９】
第１通信部２１と近接通信部１４の間の通信は、ＵＨＦ帯のＲＦＩＤ（ＩＳＯ／ＩＥＣ１８０００）と、ＨＦ帯のＩＳＯ／ＩＥＣ１４４４３と、ＩＳＯ／ＩＥＣ１５６９３と、ＮＦＣのいずれかひとつの規格に適合した通信規格で行うことが好ましい。これらの通信規格は通信距離が小さいので、ＩＣカード１３をリーダライタ７にかざして近接通信を確立した状態において、登録しようとしているＩＣカード１３と近隣のリーダライタの間で通信が確立されるのを防止し、ＩＣカード１３の誤登録を確実に解消できる。
【００３０】
第２通信部２２と近距離通信部１５の間の通信を、通信規格（ＢＴ（登録商標）、ＢＬＥ、ＷｉＦｉ（登録商標）、Ｗｉ‐ＳＵＮ、Ｚｉｇｂｅｅ（登録商標））のいずれかひとつの規格に適合した通信規格で行うことが好ましい。これらの無線通信方式の通信規格は、先の近接通信方式に比べて通信距離が大きい。そのため、ユーザーはＩＣカード１３をバッグや財布の内部などに収納したままでよく、あるいは被服のポケットに収納したままでよく、ハンズフリーで電気錠２を解錠できる。
【図面の簡単な説明】
【００３１】
【図１】本発明の実施例１に係る入室管理システムの構成を示すブロック図である。
【図２】実施例１に係る入室管理システムの適用例を示すドアの正面図である。
【図３】本発明の実施例２に係る入室管理システムの構成を示すブロック図である。
【図４】実施例２に係るＩＣカードと充電装置を示す斜視図である。
【図５】本発明の実施例３に係る入室管理システムの構成を示すブロック図である。
【図６】本発明の実施例４に係る入室管理システムの構成を示すブロック図である。
【図７】本発明の実施例５に係る入室管理システムの構成を示すブロック図である。
【発明を実施するための形態】
【００３２】
（実施例１）  図１および図２は、本発明に係る入室管理システムを、集合住宅の玄関ドアに適用した実施例１を示す。図２において、符号１は揺動開閉可能なドア、符号２はドア１に組込んだ電気錠、符号３は電気錠２に設けたドアハンドルである。電気錠２の錠ケース４の内部には、電気的に解錠操作されるデッドボルト５と、ドアハンドル３で施錠あるいは解錠操作されるサムターン６と、リーダライタ７と、電源となる電池８などが収容してある。電気錠２はオートロック機能を備えている錠と、ユーザー自身がデッドボルト５を施錠状態に切換える錠のいずれであってもよい。錠ケース４の上部には、電気錠２や後述する２次電池２３の状態等を表示する液晶表示体（表示体）９が設けられ、その下側に電磁波の通過を許す通信窓１０が設けてある。先のリーダライタ７は通信窓１０の内部に配置してある。
【００３３】
入室管理システムは電気錠２およびリーダライタ７と、非接触型のＩＣカード１３と、ＩＣカード１３用の充電器４４などでスタンドアローン型のシステムとして構成する。図１において、リーダライタ７は、非接触で近接通信を行う近接通信部（近接非接触Ｒ／Ｗ）１４と、無線で近距離通信を行う近距離通信部（無線Ｒ／Ｗ）１５と、両通信部１４・１５および電気錠２を制御するリーダライタ制御部１６と、両通信部１４・１５およびリーダライタ制御部１６に駆動電流を供給する電源部１７を備えている。近接通信部１４には近接通信アンテナ１８が設けてあり、近距離通信部１５には近距離通信アンテナ１９が設けてある。近接通信部１４は、近接通信アンテナ１８から通信用の電磁波を常時放射している。電源部１７は、リーダライタ７用として独立している必要はなく、先の電池８が電源部１７を兼ねていてもよい。
【００３４】
ＩＣカード１３は、リーダライタ７の近接通信部１４と通信する第１通信部（近接非接触Ｉ／Ｆ部）２１と、リーダライタ７の近距離通信部１５と通信する第２通信部（無線Ｉ／Ｆ部）２２と、両通信部２１・２２に駆動電流を供給する２次電池（電池）２３を含む電源部２４と、電源制御部２５、およびカード制御部（ＭＣＵ部）２６を備えている。第１通信部２１には、近接通信アンテナ１８に対応する第１アンテナ２７が設けてあり、第２通信部２２には、近距離通信アンテナ１９に対応する第２アンテナ２８が設けてある。
【００３５】
第１通信部２１は、通信制御部３１と、不揮発性メモリ３２と、揮発性メモリ３３と、セキュア部３４、およびＩＤ格納部（ＵＩＤ）３５などで構成してあり、不揮発性メモリ３２に個人情報が、セキュア部３４にセキュア情報が、ＩＤ格納部３５にユニークＩＤがそれぞれ格納してある。通信制御部３１は、ＩＣカード１３を通信窓１０にかざした状態において、近接通信アンテナ１８と第１アンテナ２７の間の電磁誘導作用によってリーダライタ７と通信を行う際の通信制御を行う。
【００３６】
第２通信部２２は、通信制御部３７と、セキュア部３８を備えており、第１通信部２１がリーダライタ７と通信を行って相互認証を行った後に、カード制御部２６からの指令信号を受けて、通信制御部３７が、第２アンテナ２８と近距離通信アンテナ１９を介してリーダライタ７と通信を行う際の通信制御を行う。
【００３７】
電源部２４は、２次電池２３と、同電池２３用の充電回路４０と、電池２３の電力供給路を開閉する電源スイッチ４１と、保護回路４２からなり、充電回路４０から導出した充電端子４３がＩＣカード１３のカード表面に露出させてある。出荷前の電源スイッチ４１は、ＩＣカード１３の動作確認を行う検査機器を使用する際には、必要に応じてオン操作し、あるいはオフ操作できるが、出荷時にはオフ状態にされる。これは、工場出荷後の２次電池２３の消耗を防ぐためである。また、ＩＣカード１３の使用を開始した後に、電源スイッチ４１がオフ操作されるのを防ぐために、電源スイッチ４１をオフ操作するためのコマンドは省いてある。
【００３８】
充電端子４３は薄い面状の端子板からなり、ＩＣカード１３の表面と裏面のうち、例えば表面側の所定位置に露出させてある。２次電池２３はフィルム形リチウムイオン電池からなり、その全体がＩＣカード１３の内部に埋設されて、ＩＣカード１３が防水化してある。保護回路４２は充電器４４の側に設けることができ、その場合には、ＩＣカード１３の実装部品を減らしてカード製造のコストを削減できる。
【００３９】
電源制御部２５は、ＩＣカード１３の使用開始時に電源スイッチ４１をオン操作して、各部に駆動電流を供給する。あるいは、充電時に２次電池２３が満充電状態になったとき、保護回路４２を作動させて充電電流の供給を停止する。充電器４４は、例えば玄関ドアの近傍の屋内に設置されており、ＩＣカード１３を充電器４４に設けたカード装填位置に装填することにより、商用電源から供給される交流電流を所定の電圧の直流電流に整流して、充電端子４３に供給する。充電に関連する事項の詳細は後述する。
【００４０】
カード制御部２６は、ＣＰＵ（セントラル・プロセッシング・ユニット）４６と、セキュア演算部４７と、メモリ部４８、タイマー、通信Ｉ／Ｆなどを搭載したマイコンチップからなり、第１、第２の両通信部２１・２２と、電源部２４および電源制御部２５の作動状態を制御する。
【００４１】
近接通信部１４とＩＣカード１３の第１通信部２１は、ＵＨＦ帯のＲＦＩＤ（ＩＳＯ／ＩＥＣ１８０００）と、ＨＦ帯のＩＳＯ／ＩＥＣ１４４４３と、ＩＳＯ／ＩＥＣ１５６９３と、ＮＦＣ（ＩＳＯ／ＩＥＣ１８０９２）のいずれかひとつの規格に従って通信を行うが、この実施例ではＮＦＣ（ＩＳＯ／ＩＥＣ１８０９２）規格に従って通信を行うようにした。その場合の通信可能距離は１０ｃｍが限度である。また、近距離通信部１５とＩＣカード１３の第２通信部２２は、通信規格（ＢＴ（登録商標）、ＢＬＥ、ＷｉＦｉ（登録商標）、Ｗｉ‐ＳＵＮ、Ｚｉｇｂｅｅ（登録商標））のいずれかひとつの規格に適合した通信規格に従って通信を行うが、この実施例ではＢＴ（ブルーツース＝登録商標）規格に従って通信を行うようにした。その場合の通信可能距離は１０ｍが限度である。
【００４２】
入室管理システムを運用する場合には、まず、施工会社が電気錠２をドア１に装着する。その際には施工会社が一時的に使用する施工専用カードを用いて、電気錠２やリーダライタ７の動作を確認する。この施工専用カードのカード情報は、施工後にＩＣカード１３を新規登録する際に抹消して、新規登録をした後に施工専用カードで電気錠２が解錠されるのを防止している。
【００４３】
ＩＣカード１３と電気錠２とは、１対１の関係で関連付けられているわけではなく、ＩＣカード１３は施工された電気錠２とは無関係に施主側へ配布され、ユーザー自身がＩＣカード１３と電気錠２の相互登録を行うことで、セキュリティを保持している。これは、ひとつの電気錠２に対するＩＣカード１３の必要枚数が家族構成によって異なり、さらにＩＣカード１３を紛失した場合に、紛失したＩＣカード１３による解錠を防止するためである。ＩＣカード１３を紛失した場合には、新たなＩＣカード１３が再発行され、再発行されたＩＣカード１３と電気錠２の再登録を行う際に、紛失したＩＣカード１３の固有カード情報を抹消して、紛失したＩＣカード１３による解錠を防止できる。このように、ＩＣカード１３と電気錠２の相互登録をユーザー自身で行うことにより、ＩＣカード１３を使用するユーザー員数の違いに柔軟に対応できるうえ、ＩＣカード１３を紛失した場合の再登録をユーザー自身で速やかに行って、セキュリティを保持できる。また、ＩＣカード１３と電気錠２の相互登録を工場側で行う必要がないので、その手間と時間を省略できる分だけ入室管理システムのコストを削減できる。
【００４４】
ＩＣカード１３を電気錠２に対して新規に登録する場合には、錠ケース４に設けた登録ボタンを操作して電気錠２を登録モードにする。この状態でユーザーがＩＣカード１３を通信窓１０に正対させてリーダライタ７にかざし、リーダライタ７にＩＣカード１３を認識させて、第１通信部２１と近接通信部１４の非接触方式の通信を確立する。非接触方式の通信が確立された状態で、非接触方式の通信規格の各種のコマンド（認証、読書き、セキュリティキー書込み等）を使用して、ＩＣカード１３とリーダライタ７の相互認証を実行する。相互認証を実行して、認証結果が適正である場合には、ＩＣカード１３のカード情報をリーダライタ７で読込んで、カード情報を電気錠２に登録する。さらに、電気錠２の錠情報をリーダライタ７でＩＣカード１３に書き込んで登録する。つまり、ＩＣカード１３とリーダライタ７の相互認証と、ＩＣカード１３のカード情報と、電気錠２の錠情報を相互に登録する前段設定を行う。
【００４５】
第１通信部２１と近接通信部１４の通信可能な距離は約１０ｃｍと短い。そのため、前段設定を行う際に、ユーザーが持っているＩＣカード１３が、隣戸の玄関ドアに設けた電気錠のリーダライタと通信を行って、誤登録されるのを確実に防止できる。なお、相互認証を実行して認証結果が適正ではない場合には、ＩＣカード１３は不正規のカードとみなされて、ＩＣカード１３のカード情報と電気錠２の錠情報の相互登録は行われず、例えば「このカードでは解錠できません」と言うメッセージが液晶表示体９に表示される。
【００４６】
上記のように前段設定は、第１通信部２１と近接通信部１４の非接触方式の通信を確立して相互認証を実行し、カード情報と錠情報を相互に登録する。しかし、一般的な通信規格に含まれているコマンドを使用して一連の処理を行う場合には、ＩＣカード１３がスキミングされてＩＣカードが偽造され、偽造カードを使用して新規登録が行われるおそれがある。こうしたＩＣカードの偽造を排除して、システムのセキュリティ性を向上するために、一般的な通信規格に含まれていない本発明の入室管理システム専用の登録専用コマンドをリーダライタ７に格納しておき、電気錠２が登録モードに切換った状態において、登録専用コマンドに従って前段設定を行うようにしている。
【００４７】
登録専用コマンドは、リーダライタ７のファームウエアに格納されており、特定のシステムでしか使用できないフォーマットやコードで構成されていて、リーダライタ７と正規のＩＣカード１３の間でのみ実行可能なコマンドである。従って、ＩＣカード１３がスキミングされてＩＣカードが偽造されたとしても、一般的な通信規格のコード等で登録専用コマンドを解析することは極めて困難であり、偽造カードを使用して電気錠２を解錠することはできない。また、登録専用コマンドおよび後述するスイッチ起動コマンドは、リーダライタ７のファームウエアに格納されているが、読出しコマンドが省略してあるので外部から読取ることはできない。因みに、メンテナンスや不良解析のための解析機器には、読出しコマンドが用意してある。
【００４８】
前段設定を行った後に、認証結果が適正であることを必須として、第２通信部２２と近距離通信部１５の無線通信設定情報をＩＣカード１３に登録する次段設定を行う。先に説明したように、２次電池２３の消耗を防ぐために、工場出荷時の電源スイッチ４１はオフ状態になっている。そのため、無線通信設定情報を登録するのに先行して、電源制御部２５で電源スイッチ４１をオン状態に切換えて、第２通信部２２とカード制御部２６を起動し、カード制御部２６のメモリ部４８に、第２通信部２２と近距離通信部１５の無線通信設定情報を登録する。以後、２次電池２３がオフ状態に切換えられることはなく、常時オン状態を維持する。
【００４９】
次段設定は、一般的な通信規格に含まれていない本システム専用のスイッチ起動コマンドをリーダライタ７に格納しておき、前段設定が終了した状態において、スイッチ起動コマンドを実行している。スイッチ起動コマンドも登録専用コマンドと同じ趣旨で設けてあり、一般的な通信規格を使用するシステムや機器で外部から読取ることはできない。上記のように、前段設定と次段設定を経て無線通信設定情報をＩＣカード１３に登録することにより、仮に電気錠２の近傍に２枚のＩＣカードが存在していたとしても、２枚のカードが同時に登録されるのを防止して、前段設定を行った正規のＩＣカード１３のみを登録することができる。
【００５０】
次段設定が終了したＩＣカード１３は、例えばＩＣカード１３を電気錠２にかざす必要もなく、ユーザーがドア１に近づくだけで、第２通信部２２と近距離通信部１５が相互に通信を確立し相互認証を行うことで、電気錠２を解錠することができる。このとき、ＩＣカード１３はバッグや財布の内部などに収納したままでよく、あるいは被服のポケットに収納したままでよく、ハンズフリーで解錠できる。第２通信部２２と近距離通信部１５の通信可能な距離が例えば１０ｍである場合には、第２通信部２２から放射される通信波が、対応関係にないリーダライタの近距離通信部１５に捕捉される可能性がある。しかし、前段設定時に電気錠２とＩＣカード１３にカードの固有情報と錠の固有情報を相互に登録しているので、第２通信部２２が対応関係にない近距離通信部１５と通信を確立することはなく、第２通信部２２は常に対応する近距離通信部１５とのみ通信を確立する。なお、解錠後の電気錠２の施錠はユーザーが手動で行う。
【００５１】
ＩＣカード１３の使用期間が長引くのに伴って、２次電池２３の電圧が徐々に低下する。そして、２次電池２３の電圧が所定の電圧まで低下すると、電圧低下情報が電源制御部２５およびカード制御部２６を介して、第２通信部２２から近距離通信部１５へと送信され、２次電池２３の充電が必要である旨の充電表示が表示体９に表示される。この表示を確認したユーザーは、ＩＣカード１３を充電器４４のカード装填位置に装填して、充電器４４とＩＣカード１３の充電端子４３を電気的に接続し、充電器４４から出力される直流の充電電流を、充電回路４０を介して２次電池２３に供給する。２次電池２３が満充電状態になったら、保護回路４２が充電電流の供給を停止させて、２次電池２３が過充電状態に陥るのを防ぐ。
【００５２】
上記のように、２次電池２３の管理はユーザー自身で行う必要があるが、２次電池２３の電圧が基準電圧まで低下するまでの期間が長いこともあって、ユーザーによっては電池の電圧が基準電圧以下に低下することがある。その場合には、第２通信部２２と近距離通信部１５の通信を確立できないため、電気錠２を解錠することができない。しかし、ＩＣカード１３を通信窓１０に正対させてリーダライタ７にかざし、リーダライタ７にＩＣカード１３を認識させて、第１通信部２１と近接通信部１４の非接触方式の通信を確立することにより、電気錠２を解錠することができる。この場合のリーダライタ７は、第１通信部２１の不揮発性メモリ３２、セキュア部３４、ＩＤ格納部３５に格納されたカードデータおよび、新規登録時に登録した錠のデータを読み込んで参照し、ＩＣカード１３が正規のカードであることを確認して電気錠２を解錠する。解錠後には、２次電池２３の充電が必要である旨の充電表示を表示体９に表示して充電を促す。
【００５３】
上記の実施例では、登録専用コマンドを使用して、登録専用コマンドを使用して、電源スイッチ４１をオン状態への切換えと、無線通信設定情報の登録を行ったが、その必要はなく、非接触カード規格のコマンドを使用して電源スイッチ４１の切換えと、無線通信設定情報の登録を行うことができる。その場合には、第１通信部２１とリーダライタ７の間で相互認証を行って、先の登録処理を行う。
【００５４】
具体的には、第１通信部２１の特定のメモリ領域を無線設定フラグとして使用し、カード制御部２６で無線設定フラグが「Ｈ（ハイ）」レベルであるか、「Ｌ（ロウ）」レベルであるかを識別して、情報の書込み状況を確認する。無線設定フラグが「Ｈ」レベルである場合には、無線設定情報が第１通信部２１の特定のメモリ領域に格納されたことを示しており、カード制御部２６が先のメモリ領域から書込み情報をダウンロードし、無線設定処理を行う。無線設定処理が終了した時点で、第１通信部２１のフラグを「Ｌ」に書換え、さらに無線設定情報をクリアする。無線設定処理が終了した情報を意味するフラグをカード制御部２６に設け、これをリーダライタ７で読込むことにより、電気錠２側で無線設定処理が終了したことを確認できる。また、第１通信部２１の特定のメモリ領域へのアクセスを、認証やパスワード等により電気錠２側で管理することにより、誤作動を防止し、セキュリティ性をさらに向上することができる。これら一連の処理は、非接触近接通信規格（ＩＳＯ規格）のコマンドで行うことができるので、登録専用コマンドは省略できる。
【００５５】
電源スイッチ４１に関しては、シリアルバス、シリアルポート、Ｉ／Ｏポートなどにおける外部通信信号の変化を利用して電源をオンさせる信号を生成する。生成した信号の出力のタイミングについては、上記の無線設定処理を行う場合と同様に、第１通信部２１の特定のメモリ領域と通信を行って、フラグと外部通信信号を併用して決定し、書込みフラグの「Ｈ」と外部信号により、電源スイッチ４１をオンして、ＩＣカード１３の全ての機能を作動させる。また、第１通信部２１の特定のメモリ領域へのアクセスを、認証やパスワード等により電気錠２側で管理することにより、誤作動を防止し、セキュリティ性をさらに向上することができる。
【００５６】
（実施例２）  図３および図４は、本発明に係る入室管理システムの実施例２を示す。この実施例における入室管理システムは、電気錠２（図示していない）およびリーダライタ７と、非接触型のＩＣカード１３と、ＩＣカード１３用の充電器４４などで構成しており、その基本構造は実施例１の入室管理システムと同じである。実施例２に係る入室管理システムにおいては、２次電池２３の充電をワイヤレス充電方式で行う点が、実施例１の入室管理システムと異なる。そのために、ＩＣカード１３に、充電回路４０に充電電流を供給するワイヤレス受電部（ワイヤレス給電部）５１を設けている。
【００５７】
ワイヤレス受電部５１は、受電アンテナ５２と、整流回路５３と、安全回路５４を備えている。充電器４４は、高周波電流を生成する発振回路や、高周波電流を受けて誘導磁界を生成する伝送アンテナ５５を備えている。２次電池２３の充電を行う場合には、図４に示すように、ＩＣカード１３を充電器４４の上面に載置し、充電器４４を作動させることにより、伝送アンテナ５５と受電アンテナ５２との間の電磁誘導作用で、充電電力を受電アンテナ５２へ伝送する。受電アンテナ５２が受けた高周波電流は、整流回路５３で整流し所定の電圧に調整された充電電流を、充電回路４０を介して２次電池２３に供給する。
【００５８】
上記のように、２次電池２３の充電をワイヤレス充電方式で行うと、充電端子４３を省いてＩＣカード１３を完全防水化できるので、誤って取落としたＩＣカード１３が水没するような状況であっても、ＩＣカード１３の機能が損なわれることはなく、カード表面の水滴を除去するだけで支障なく使用できる。他の構成については、実施例１と同じであるので、同じ部材に同じ符号を付して、その説明を省略する。以下の実施例においても同じとする。
【００５９】
（実施例３）  図５は本発明に係る入室管理システムの実施例３を示す。この実施例における入室管理システムの基本構造は、実施例２の入室管理システムと同じであって、２次電池２３の充電をワイヤレス充電方式で行う。先に説明したように、電源スイッチ４１がオン状態に切換えられたのちの２次電池２３は、常に第２通信部２２とカード制御部２６に駆動電流を供給し続ける。そのため、２次電池２３はより短い時間で消耗しやすい。また、ＩＣカード１３で電気錠２を解錠するのに要する時間に比べて、ＩＣカード１３を使用していない時間ははるかに長いので、上記のように２次電池２３から第２通信部２２とカード制御部２６に駆動電流を供給し続けるのは無駄でもある。
【００６０】
上記のような、無駄な電力消費を防止して２次電池２３の消耗を抑止するために、実施例３に係る入室管理システムにおいては、ＩＣカード１３を使用していない状況では、カード制御部２６をスリープ状態に保持し、必要時にのみカード制御部２６を作動可能な状態に戻して、第２通信部２２と近距離通信部１５の通信を確立するようにした。そのために、第１通信部２１に検波部５８を設けて、第１通信部２１と近接通信部１４が通信を確立しているか否を検波部５８で検知するようにした。また、カード制御部２６にＩ／Ｏポート５９を設けて、検波部５８の検知信号をＩ／Ｏポート５９を介してカード制御部２６に出力するようにした。
【００６１】
第１通信部２１と近接通信部１４の通信が確立していないことを検波部５８が検知した場合には、カード制御部２６に微弱電流を供給して、カード制御部２６がスリープ状態に保持される。また、検波部５８が、第１通信部２１と近接通信部１４の通信が確立された状態を検知した場合には、検波部５８の検知信号（割込み信号）がカード制御部２６へ送られて、ＣＰＵ４６をスリープモードから通常モードに戻し、さらに第２通信部２２を起動させて、第２通信部２２と近距離通信部１５の通信を確立し、電気錠２を解錠する。この実施例においては、ＩＣカード１３を通信窓１０に正対させリーダライタ７にかざして、第１通信部２１と近接通信部１４の通信を確立する必要があるため、その分だけ手間がかかるが、１日の殆どの時間にわたってカード制御部２６をスリープ状態に保持できるので、２次電池２３の消耗を著しく低下し、電池寿命を大幅に伸ばすことができる。
【００６２】
（実施例４）  図６は本発明に係る入室管理システムの実施例４を示す。この実施例における入室管理システムの基本構造は、実施例１の入室管理システムと同じであるが、ＩＣカード１３の電源として１次電池（電池）２３を使用する点が実施例１と異なる。このように、１次電池２３を電源とすることにより、実施例１のＩＣカード１３における充電回路４０、保護回路４２、充電端子４３を省略して、ＩＣカード１３を最もシンプルな構造にすることができ、さらに充電器４４を省略できるので、カードのコスト、および入室管理システムの全体コストを削減できる。なお、１次電池２３を電源とする以上、１次電池２３の電圧が基準電圧まで低下した時点で電池交換を行う必要がある。
【００６３】
（実施例５）  図７は本発明に係る入室管理システムの実施例５を示す。この実施例における入室管理システムの基本構造は、実施例３の入室管理システムと同じであるが、ＩＣカード１３の電源として１次電池（電池）２３を使用する点が実施例３と異なる。このように、１次電池２３を電源とすることにより、実施例３のＩＣカード１３におけるワイヤレス受電部５１、充電回路４０、保護回路４２、充電端子４３を省略して、ＩＣカード１３をシンプルな構造にすることができ、さらに充電器４４を省略できるので、カードのコスト、および入室管理システムの全体コストを削減できる。１次電池２３は実施例４の場合と同様に、定期的に新規な１次電池２３と交換する必要がある。
【００６４】
上記以外に、２次電池２３はフィルム形リチウムイオン電池である必要はなく、シート状の薄形扁平な電池であれば適用できる。電源部２４は、第１通信部２１と第２通信部２２に駆動電流を供給するものであってもよい。上記の実施例では、電気錠２をＩＣカード１３で解錠操作するようにしたが、解錠操作に加えて施錠操作をＩＣカード１３で行うようにしてもよい。
【符号の説明】
【００６５】
１  ドア
２  電気錠
７  リーダライタ
９  液晶表示体（表示体）
１３  ＩＣカード
１４  近接通信部
１５  近距離通信部
２１  第１通信部
２２  第２通信部
２３  ２次電池（電池）
４１  電源スイッチ
４４  充電器
【図１】
0006433781.tif 000002
【図２】
0006433781.tif 000003
【図３】
0006433781.tif 000004
【図４】
0006433781.tif 000005
【図５】
0006433781.tif 000006
【図６】
0006433781.tif 000007
【図７】
0006433781.tif 000008